(57)【特許請求の範囲】
【請求項１】
ネットワーク上に存在するマルチメディア情報から本型のマルチメディア情報を生成し，利用者に閲覧させる電子蔵書システムであって，
蔵書情報要求手段から前記本型のマルチメディア情報を収集し登録するための検索条件を受け取り，該検索条件に合致する一冊の本型の情報にする複数のマルチメディア情報へのアクセスに必要な情報である情報発信元を識別する情報と該情報発信元に格納されているマルチメディア情報を識別するための識別子とから構成される情報を，前記情報発信元を識別する情報ごとに分類し，さらに前記識別子の階層構造の区切りごとに順序付けてリスト化したコンテンツリストを生成するコンテンツリスト生成手段と，
前記コンテンツリストに従ってネットワークを介して該当するマルチメディア情報を獲得するマルチメディア情報獲得手段と，
前記獲得したマルチメディア情報から参照される補助情報が存在するとき，その補助情報への参照用識別子を抽出し，該マルチメディア情報内の補助情報への参照用識別子を，当該電子蔵書システムが割り当てたシステム内参照用識別子に置き換える補助情報置換手段と，
前記補助情報置換手段で抽出した参照用識別子をもとに，ネットワーク上に存在する補助情報をネットワークを介して獲得する補助情報獲得手段と，
前記補助情報獲得手段で獲得した補助情報を，前記補助情報置換手段で割り当てたシステム内参照用識別子を用いて参照可能な位置に格納する補助情報格納手段と，
前記獲得した一冊の本型の情報とするマルチメディア情報を本の形式のマルチメディア情報に変換する本型情報生成手段と，
前記本形式に変換したマルチメディア情報を格納する本型情報格納手段と
を備えることを特徴とする電子蔵書システム。
【請求項２】
請求項１記載の電子蔵書システムにおいて，
前記補助情報格納手段は，さらに，前記システム内参照用識別子と前記マルチメディア情報内の補助情報への参照用識別子との対応情報を格納し，
マルチメディア情報を検索するためのキーワードまたは識別子からなる検索条件を利用者システムから入力し，前記本型情報格納手段から該検索条件に合致するマルチメディア情報を読み出すとともに，そのマルチメディア情報から参照される補助情報が存在する場合には，その補助情報への前記システム内参照用識別子を用いて前記補助情報格納手段から補助情報を読み出し，要求元の利用者システムへ転送する本型コンテンツ送出および補助情報チェック手段と，
前記マルチメディア情報獲得手段においてマルチメディア情報の獲得時に用いた識別子，または前記補助情報獲得手段において該マルチメディア情報の補助情報の獲得時に用いた参照用識別子をもとに，その情報発信元にそのマルチメディア情報に対して利用者システムからアクセスがあったことを通知するアクセス通知手段と
を備えることを特徴とする電子蔵書システム。
【請求項３】
コンテンツリスト生成手段と，マルチメディア情報獲得手段と，補助情報置換手段と，補助情報獲得手段と，補助情報格納手段と，本型情報生成手段と，本型情報格納手段とを備え，ネットワーク上に存在するマルチメディア情報から本型のマルチメディア情報を生成し利用者に閲覧させる電子蔵書システムにおける電子蔵書作成処理方法であって，
前記コンテンツリスト生成手段が，蔵書情報要求手段から前記本型のマルチメディア情報を収集し登録するための検索条件を受け取り，該検索条件に合致する一冊の本型の情報にする複数のマルチメディア情報へのアクセスに必要な情報である情報発信元を識別する情報と該情報発信元に格納されているマルチメディア情報を識別するための識別子とから構成される情報を，前記情報発信元を識別する情報ごとに分類し，さらに前記識別子の階層構造の区切りごとに順序付けてリスト化したコンテンツリストを生成する過程と，
前記マルチメディア情報獲得手段が，前記コンテンツリストに従ってネットワークを介して該当するマルチメディア情報を獲得する過程と，
前記補助情報置換手段が，前記獲得したマルチメディア情報から参照される補助情報が存在するとき，その補助情報への参照用識別子を抽出し，該マルチメディア情報内の補助情報への参照用識別子を，当該電子蔵書システムが割り当てたシステム内参照用識別子に置き換える過程と，
前記補助情報獲得手段が，前記補助情報置換手段で抽出した参照用識別子をもとに，ネットワーク上に存在する補助情報をネットワークを介して獲得する過程と，
前記補助情報格納手段が，前記補助情報獲得手段で獲得した補助情報を，前記補助情報置換手段で割り当てたシステム内参照用識別子を用いて参照可能な位置に格納する過程と，
前記本型情報生成手段が，前記獲得した一冊の本型の情報とするマルチメディア情報を本の形式のマルチメディア情報に変換する過程と，
前記本型情報格納手段が，前記本形式に変換したマルチメディア情報を格納する過程と
を有することを特徴とする電子蔵書作成処理方法。
【請求項４】
請求項３記載の電子蔵書作成処理方法において，
前記電子蔵書システムが，さらに，本型コンテンツ送出および補助情報チェック手段と，アクセス通知手段とを備え，
前記補助情報格納手段が，さらに，前記システム内参照用識別子と前記マルチメディア情報内の補助情報への参照用識別子との対応情報を格納する過程と，
前記本型コンテンツ送出および補助情報チェック手段が，マルチメディア情報を検索するためのキーワードまたは識別子からなる検索条件を利用者システムから入力し，前記本型情報格納手段から該検索条件に合致するマルチメディア情報を読み出すとともに，そのマルチメディア情報から参照される補助情報が存在する場合には，その補助情報へのシステム内参照用識別子を用いて前記補助情報格納手段から補助情報を読み出し，要求元の利用者システムへ転送する過程と，
前記アクセス通知手段が，前記マルチメディア情報獲得手段においてマルチメディア情報の獲得時に用いた識別子，または前記補助情報獲得手段において該マルチメディア情報の補助情報の獲得時に用いた参照用識別子をもとに，その情報発信元にそのマルチメディア情報に対して利用者システムからアクセスがあったことを通知する過程と
を有することを特徴とする電子蔵書作成処理方法。
【請求項５】
ネットワーク上に存在するマルチメディア情報から本型のマルチメディア情報を生成し利用者に閲覧させる電子蔵書システムを，コンピュータによって実現するためのプログラムを記録したコンピュータ読み取り可能な記録媒体であって，
前記コンピュータを，
蔵書情報要求手段から前記本型のマルチメディア情報を収集し登録するための検索条件を受け取り，該検索条件に合致する一冊の本型の情報にする複数のマルチメディア情報へのアクセスに必要な情報である情報発信元を識別する情報と該情報発信元に格納されているマルチメディア情報を識別するための識別子とから構成される情報を，前記情報発信元を識別する情報ごとに分類し，さらに前記識別子の階層構造の区切りごとに順序付けてリスト化したコンテンツリストを生成するコンテンツリスト生成手段と，
前記コンテンツリストに従ってネットワークを介して該当するマルチメディア情報を獲得するマルチメディア情報獲得手段と，
前記獲得したマルチメディア情報から参照される補助情報が存在するとき，その補助情報への参照用識別子を抽出し，該マルチメディア情報内の補助情報への参照用識別子を，当該電子蔵書システムが割り当てたシステム内参照用識別子に置き換える補助情報置換手段と，
前記補助情報置換手段で抽出した参照用識別子をもとに，ネットワーク上に存在する補助情報をネットワークを介して獲得する補助情報獲得手段と，
前記補助情報獲得手段で獲得した補助情報を，前記補助情報置換手段で割り当てたシステム内参照用識別子を用いて参照可能な位置に格納する補助情報格納手段と，
前記獲得した一冊の本型の情報とするマルチメディア情報を本の形式のマルチメディア情報に変換する本型情報生成手段と，
前記本形式に変換したマルチメディア情報を格納する本型情報格納手段
として機能させるための電子蔵書システムのプログラムを記録した記録媒体。
【請求項６】
請求項５記載の電子蔵書システムのプログラムを記録した記録媒体において，
前記コンピュータを，さらに，
前記補助情報格納手段に前記システム内参照用識別子と前記マルチメディア情報内の補助情報への参照用識別子との対応情報を格納する手段と，
マルチメディア情報を検索するためのキーワードまたは識別子からなる検索条件を利用者システムから入力し，前記本型情報格納手段から該検索条件に合致するマルチメディア情報を読み出すとともに，そのマルチメディア情報から参照される補助情報が存在する場合には，その補助情報へのシステム内参照用識別子を用いて前記補助情報格納手段から補助情報を読み出し，要求元の利用者システムへ転送する本型コンテンツ送出および補助情報チェック手段と，
前記マルチメディア情報獲得手段においてマルチメディア情報の獲得時に用いた識別子，または前記補助情報獲得手段において該マルチメディア情報の補助情報の獲得時に用いた参照用識別子をもとに，その情報発信元にそのマルチメディア情報に対して利用者システムからアクセスがあったことを通知するアクセス通知手段
として機能させるための電子蔵書システムのプログラムを記録した記録媒体。
【発明の詳細な説明】
【０００１】
【発明の属する技術分野】
本発明は，マルチメディア情報の格納，検索を目的とするシステムにおいて，マルチメディア情報を検索する際に，情報の発信者が情報の提供を終えた後も，永続的に利用者にそれらの情報を提供するシステムに関する。
【０００２】
【従来の技術】
従来のマルチメディア情報の提供システム，例えばインターネット上のＷＷＷ（World Wide Web）と呼ばれるようなシステムは，情報の発信者と利用者のみが存在し，発信者が一方的に情報の提供を止めると，利用者は，当該情報を参照できなかった。しかし，従来より使用されてきた紙の本などの情報の提供システムでは，発信者と利用者以外に情報を収集し，半永続的に発信する図書館のようなシステムが存在していた。
【０００３】
インターネットなどのマルチメディア情報の世界においても，利用者に永続的に情報を提供することができるシステムを提供することが，本発明の目的である。インターネット上で，情報の発信者と利用者の間にあって，利用者に対してマルチメディア情報を蓄積し提供するシステムとしては，キャッシュサーバと呼ばれるシステムが存在している。キャッシュサーバは，利用者に対して十分な情報の伝送能力がないインターネットにおいて，ネットワークのトラフィックを低減するために，ある利用者が参照した情報をキャッシュサーバ内に蓄積し，同じ情報にアクセスした利用者に対して，その情報の発信者へ直接アクセスしないで，キャッシュサーバ内の情報を提供するようにしたものである。こうすることで，キャッシュサーバと情報発信者間のトラフィックを低減することができる。
【０００４】
【発明が解決しようとする課題】
しかし，キャッシュサーバは，利用者がアクセスした情報を単に記録し，発信者の情報のコピーを保持しているだけなので，発信者の情報の内容が変われば，それにつれてキャッシュサーバの情報の中身も変化してしまう。また，情報の発信者が発信を止めれば，キャッシュサーバの持つ情報もなくなってしまう。このため，従来の図書館が持つような，情報をコレクションし，情報提供者が絶版などの形で情報の発信をやめたり，改版などにより情報の内容を変更した場合においても，コレクションした情報を利用者に提供する機能は存在しない。
【０００５】
本発明は，従来の図書館が持っていたような情報を収集して利用者に提供する機能を，インターネット上などのマルチメディア情報の世界で実現するために，特に情報の発信者が発信を停止した後や，発信される情報が変化した後も，それ以前に発信していた情報を継続して提供できるようにすることを課題とする。
【０００６】
【課題を解決するための手段】
本発明は，インターネット上などのマルチメディア情報の利用環境における，いわば図書館に相当するようなもので，ネットワーク上に存在するマルチメディア情報から本型のマルチメディア情報を生成し利用者に閲覧させる電子蔵書システムを実現することにより，発信者と利用者の間にあって情報の仲介を行うことで，永続的に利用者にマルチメディア情報を提供するものである。
【０００７】
そのため，インターネットなどのネットワーク上にマルチメディア情報の発信者が存在し，その発信する情報を利用者が入力したキーワードなどの検索条件から検索し，利用者が当該情報を閲覧できるように，情報を提示する手段を有し，情報全体のうちの一部の情報の提示と，見出しなどについての情報全体の外観的な情報を同時に利用者に提供するシステムにおいて，情報の発信者が情報の提供を停止した後も，情報を閲覧したい利用者に対して当該情報を提供するために，あらかじめ情報の収集者が指定したインターネット上などのマルチメディア情報をネットワークを介して転送する手段と，当該マルチメディア情報およびその情報から参照されるマルチメディア情報を蓄積する手段とを有し，特にインターネット上などから獲得したマルチメディア情報を，獲得した時刻とともに格納する手段を有する。
【０００８】
ＷＷＷ（World Wide Web）と呼ばれるインターネット上のマルチメディア情報の発信方式に代表されるハイパーリンクにより関連づけられたマルチメディア情報を扱う場合に，リンクによって関連付けられている情報の全てが収集されていないときには，リンク先の情報を参照した際に，必要な情報にアクセスできなかったり，情報が勝手に更新されている可能性があり，利用者に情報を永続的に提供できない。そこで，情報の収集時に一つ以上のマルチメディア情報から構成される当該マルチメディア情報を一連の情報として名前付けを行う手段と，当該マルチメディア情報から参照される静止画などの情報をインターネット上などから獲得する手段と，当該静止画などの情報への参照を，本システムの蓄積手段内の参照へと置き換える手段とを有する。これにより，登録時に指定された一連のマルチメディア情報を一固まりの単位として収集することで，マルチメディア情報の利用者は，インターネット上などのマルチメディア情報を収集し，提供するサーバにアクセスすれば，情報の発信者が情報発信を止めたり，情報の内容が変更された後でも，必要な情報を確実に入手することが可能である。
以上のネットワークを介して収集し獲得したマルチメディア情報は，本の形式のマルチメディア情報に変換し，情報の収集者によって指定された検索条件ごとに一冊の本型の情報としてまとめ，電子蔵書システムの利用者に閲覧させる。また，特に本発明では，情報の収集者によって指定された検索条件に応じてマルチメディア情報を収集し一冊の本型の情報としてまとめる際に，受け取った検索条件に合致する一冊の本型の情報にする複数のマルチメディア情報へのアクセスに必要な情報である情報発信元を識別する情報と該情報発信元に格納されているマルチメディア情報を識別するための識別子とから構成される情報を，前記情報発信元を識別する情報ごとに分類し，さらに前記識別子の階層構造の区切りごとに順序付けてリスト化したコンテンツリストを生成し，そのコンテンツリストに従ってネットワークを介して該当するマルチメディア情報を獲得する。
【０００９】
マルチメディア情報を収集し提供する上記システムに利用者がアクセスしてマルチメディア情報を利用する場合には，マルチメディア情報の利用者には，本システムから全ての情報が渡されるため，情報発信者には，情報が閲覧されていることが分からなくなる。このため，さらに本発明は，前述した各手段に加え，情報発信者に対して情報が参照されたことを，本システムが利用者に代わって，情報を発信するシステムに伝達するために，特にマルチメディア情報を収集して蓄積するシステムにおいて，収集してあるマルチメディア情報と，その収集してあるマルチメディア情報に対応した情報への識別子を共に格納する手段と，利用者が要求したマルチメディア情報から，インターネット上などに存在する情報への識別子を獲得する手段と，その識別子をもとにインターネット上などの当該情報を発信しているシステムに対し，アクセス情報を転送する手段とを有する。これにより，本システムを介して情報を閲覧した場合でも，情報の発信者に対して情報を利用していることを，知らせることが可能となる。
【００１０】
【発明の実施の形態】
本発明の実施の形態を，図を用いて詳細に説明する。本発明は，国際的な標準のＳＧＭＬ（Standard Generalized Markup Language）に代表される構造化記述言語等により構造化された情報を閲覧するシステムや，インターネット上で多数流通するＨＴＭＬ（Hyper Text Markup Language）等の記述法を用いて画像情報や映像情報などの各種のマルチメディア情報を，ＵＲＬ（Uniform Resource Locator）等の識別子により参照する任意のマルチメディア文書情報全般に関して有効であるが，ここでは，ページ単位で区切られた構造を持つマルチメディア情報を閲覧する場合を例として説明する。
【００１１】
以下の実施の形態では，インターネットなどに存在する各種のマルチメディア情報を，ディプレイ上に本の構造を用いて表現し，ページ単位で区切られた本型のマルチメディア情報を利用者に閲覧させる場合について説明する。しかし，本の構造に限らず，バインダ等のような現実の世界において情報を構造化するのと同様な表現で，コンピュータディスプレイ上で表現する場合にも同様の効果がある。
【００１２】
図１は，本発明の実施の形態におけるシステム構成の例を示す図である。本システムは，図１に示すように，おおまかに，利用者が使用する利用者システム３，インターネット上などに存在する各種のマルチメディア情報を本型のマルチメディア情報として格納し利用者に提供する電子蔵書システム１，並びにインターネット上などに存在し利用者に閲覧させる内容の情報を格納するコンテンツサーバシステム２の３つのシステムから構成される。
【００１３】
電子蔵書システム１は，インターネット上などに存在する各種のマルチメディア情報から本型のマルチメディア情報を生成し登録する機能と，利用者からのＵＲＬ等の本型マルチメディア情報への識別子を受け付け，当該情報を利用者に提供する機能を持つ。
【００１４】
最初に，本型マルチメディア情報を登録する機能から詳細に説明する。インターネット上などのＷＥＢサーバと呼ばれるようなコンテンツサーバシステム２からネットワーク４を介して，必要な情報を電子蔵書システム１に取り込む。
【００１５】
まず最初に本型のマルチメディア情報として登録するための電子蔵書システム１の構成として，インターネット上などの情報から一冊の本型のマルチメディア情報とする情報を検索するための条件を入力する蔵書情報要求部１１と，入力された検索条件から一冊の本型の情報にするマルチメディア情報のリストを生成するコンテンツリスト生成部１２と，リストに従ってインターネットなどからＨＴＭＬ等の言語により記述された情報を獲得する外部データベースアクセス部１３と，獲得した情報の中で，ＵＲＬ等により外部のデータを参照する静止画像や動画像などのデータが存在する場合に，当該情報へのＵＲＬを電子蔵書システム１内部の補助データ格納装置１８内の画像などの当該情報への参照に置き換える補助情報置換部１４と，インターネットなどから獲得した一冊の本とする情報を，本の形式のデータに変換する本型情報生成部１５と，本型となったマルチメディア情報を電子蔵書システム１内に格納する本型情報データベース１６と，補助情報置換部１４で抽出した識別子をもとに，インターネット上などの補助情報をネットワーク４などを介して獲得し，補助情報置換部１４で生成された電子蔵書システム１中の識別子と対応付ける補助情報獲得部１７と，補助情報置換部１４で生成された電子蔵書システム１内部の識別子で参照できるように補助情報を格納する補助データ格納装置１８とを備える。
【００１６】
また，ＨＴＭＬ等の記述言語を使用してマルチメディア情報を格納し，電子蔵書システム１にネットワーク４などを介して接続されるコンテンツサーバシステム２は，電子蔵書システム１の外部データベースアクセス部１３および補助情報獲得部１７等からの要求によりマルチメディア情報を送出するコンテンツ送出部２１と，マルチメディア情報を格納する内容情報データベース２２から構成される。
【００１７】
次に，電子蔵書システム１を利用して，マルチメディア情報を利用者に閲覧させるためのシステム部分は，利用者が操作して情報を閲覧する利用者システム３上で，利用者が閲覧したい情報への参照情報を入力する本型情報要求部３１と，利用者からの要求を受け取り，電子蔵書システム１内で，本型でマルチメディア情報を格納する本型情報データベース１６から利用者の要求に合致するマルチメディア情報を獲得し，利用者システム３に送信する本型コンテンツ送出部１９と，利用者システム３内で電子蔵書システム１から獲得した本型マルチメディア情報を，利用者環境上で電子的な本として扱うために，静止画などの表示に必要な補助情報を電子蔵書システム１から獲得する表示情報制御部３２と，電子蔵書システム１内で，利用者システム３からの要求に対応して，補助データ格納装置１８から該当する補助情報を獲得し，利用者システム３に送出する補助情報チェック部２０と，表示情報制御部３２でレイアウトなどを終えた本型のマルチメディア情報を表示し，利用者に閲覧させる本情報表示部３３から構成される。
【００１８】
図２は，本型のマルチメディア情報の表示の例を示す。平面的なコンピュータディスプレイ上に物理的な本を模して３次元的に情報を表示する例としては，図２に示すように，本枠５１を表示することにより，本の内容が表示される領域と，付せん紙や爪見出しなどの内容を検索するための構造が表示される領域とを分離している。内容を検索するための構造が表示される領域においては，例えば爪見出し５２として本枠５１の左右に縦方向に，著者が付与する大きな項目や，重要な項目に対するマークを表示する。一方，付せん紙５３のように利用者が必要とするマークを本枠５１の上方に横方向に表示することで，著者が作成するマークの構造と利用者が作成するマークの構造とを分離する。
【００１９】
さらに，本枠５１の左右と底辺に表示される本の厚み５４の情報により，一冊の本として表現される情報における現在の位置情報や，爪見出し５２を該当する厚みの位置に貼りつけることにより，爪見出し５２によって分類される各情報の量を外部から一覧できるような表示にする。
【００２０】
このように情報の内容を表示する領域の分離と，情報の構造の表現を行う表示とを組み合わせることにより，平面的なディスプレイ上に現実世界の本の持つ構造を表現することができる。
【００２１】
本例における処理過程の大きな流れとしては，電子蔵書システム１にインターネット上などに存在する各種のマルチメディア情報を登録するために，蔵書情報要求部１１で入力された検索条件などから，一冊の本として電子蔵書システム１に格納すべき情報を決定し，当該情報をネットワーク４などを介して収集し，さらに当該情報から参照される静止画などの補助情報をネットワーク４などを介して収集し，共に電子蔵書システム１内に格納する情報収集登録処理と，
マルチメディア情報を閲覧したい利用者が，マルチメディア情報を獲得するための検索条件などを本型情報要求部３１から入力することで，電子蔵書システム１から当該マルチメディア情報とその情報から参照される静止画像や動画像などの補助情報を獲得し，当該マルチメディア情報を本型で利用者に提供する情報提示処理との２つに分かれる。
【００２２】
（１）情報収集登録処理
ここでは，電子蔵書システム１に，インターネット上などに存在する各種のマルチメディア情報を蓄積する処理について説明する。本例における情報を収集し登録する処理の過程を図３に示す。
【００２３】
ステップＳ１として，ＵＲＬ等で記述された電子蔵書システム１に登録されるマルチメディア情報の検索条件が蔵書情報要求部１１に入力され，コンテンツリスト生成部１２に転送される。蔵書情報要求部１１で入力されるデータの構造は，例えば図４に示すように，ＵＲＬで示されるような電子蔵書システム１に登録されるマルチメディア情報へのアクセスに必要な情報から構成される。
【００２４】
ステップＳ２として，入力されたＵＲＬ等からコンテンツリスト生成部１２で，一冊の本にまとめる情報を本内に配置する際の順序に従って並べ，リスト化する。リスト化の方法としては，図４に示すように蔵書情報要求部１１に，各種のサイトのＵＲＬ情報が入力された場合には，サイト単位に類似する情報を有するとして，サイト名により一冊の本形式の情報としてＵＲＬを集めることで達成できる。
【００２５】
図５に，コンテンツリスト生成部１２の作成したリストの例を示す。コンテンツリスト生成部１２において作成される一冊の本として格納すべき情報へのＵＲＬのリストは，サイト名によりＵＲＬの集合を分類したとすると，図５に示すような，少なくとも１つ以上のＵＲＬのリストである。なお，ＵＲＬは，通常，記号「／」によって区切られる階層構造をもつため，次のステップＳ３の処理において，「／」による区切りごとに，ＵＲＬのリストを順序付けすることで，関連性の高い情報を集約することが可能である。
【００２６】
ステップＳ３として，外部データベースアクセス部１３では，一冊の本単位（本毎）に分類されたＵＲＬのリストに従って，ＵＲＬで参照される情報を，順次インターネット等のネットワーク４を介して，コンテンツサーバシステム２から獲得する。ＵＲＬは，図６に示すように，少なくとも，ネットワーク上において複数存在するマルチメディア情報を格納するコンテンツサーバシステム２を識別するサイト名と，各コンテンツサーバシステム２中に格納されている情報を識別するためのコンテンツ識別子の２つの要素から構成される。
【００２７】
外部データベースアクセス部１３からのＵＲＬに含まれるサイト名のネットワーク４への送出により，コンテンツサーバシステム２のコンテンツ送出部２１が応答することで，獲得したい情報を持つコンテンツサーバシステム２が決定される。続いて，外部データベースアクセス部１３からそのコンテンツサーバシステム２に対し，そのサイト中で獲得したい情報を示す識別子を転送し，その識別子を用いてコンテンツ送出部２１が内容情報データベース２２を検索することで，コンテンツ識別子で示された情報を獲得し，外部データベースアクセス部１３に転送する。外部データベースアクセス部１３は，本処理をリスト中の全てのＵＲＬに対して繰り返し行う。
【００２８】
ステップＳ４では，外部データベースアクセス部１３による情報参照の結果，参照した情報がコンテンツサーバシステム２に存在しない場合には，コンテンツサーバシステム２からエラーコードが返されるので，そのコード判定により，必要な情報が獲得できたか否かを判定する。
【００２９】
判定の方法としては，コンテンツサーバシステム２との通信にインターネット上で広く使用されているＨＴＴＰ(Hyper Text Transfer Protocol ）のプロトコルを使用する場合においては，コンテンツサーバシステム２からの応答ヘッダ中に含まれるサーバの応答ヘッダのコードが４００番以上の値であるか，または２００番台の値であるかにより判定できる。値が４００番台以上の場合には，エラーとして，情報が存在しないことを示す情報（エラー用のＨＴＭＬファイル）を作成する（ステップＳ５）。
【００３０】
エラー用のＨＴＭＬファイルは，例えば次のような記述により実現できる。
「  <HTML><BODY>
http://aaa.abc.cde.efg.co.jp/aaabcdef.htmlで参照される情報は，獲得できませんでした。
【００３１】
</BODY></HTML>  」
ステップＳ６として，補助情報置換部１４により，外部データベースアクセス部１３で獲得された情報から，当該マルチメディア情報から参照されている静止画等の他の情報への参照情報を抽出する。参照情報は，当該マルチメディア情報がインターネット上で一般的に使用されるＨＴＭＬによって記述されているならば，例えば＜ＩＭＧ＞タグで記述される静止画像へのリンクや，＜Ａ＞タグで記述される動画像などへのリンクが相当する。
【００３２】
補助情報置換部１４において，抽出された参照情報から，電子蔵書システム１内の補助データ格納装置１８内で一意な識別子を生成し，当該マルチメディア情報中の参照情報をこの識別子に置き換える。識別子の決定法としては，例えば図７に示すように，参照情報中のＵＲＬと処理を行った時刻とを組み合わせる方法を用いる。これによって，一意な識別子を生成することが可能である。
【００３３】
ステップＳ７として，参照情報が置換されたマルチメディア情報は，置換される前のＵＲＬ等で表現された識別子の情報と置換後の参照情報への識別子とが対になった情報として，補助情報獲得部１７へ送られる。
【００３４】
外部データベースアクセス部１３によって獲得したマルチメディア情報の例を図８（Ａ）に示し，補助情報置換部１４によって参照情報を置換した後のマルチ情報の例を図８（Ｂ）に示す。図８（Ｂ）の例のように，対になっている識別子は，補助情報置換部１４において参照情報が置換された後のデータで，置換以前の参照情報をＯＲＩＧＩＮＡＬというタグを用いて表現し，置換後の一意な識別子とともに処理することができる。参照情報への識別子が変更されたマルチメディア情報は，補助情報の部分に，例えばＯＲＩＧＩＮＡＬというタグを使用することで，本来の参照情報への識別子と，補助データ格納装置１８内での識別子とを同時に保持できる。
【００３５】
ステップＳ８として，補助情報獲得部１７において，置換される前のＵＲＬ等で参照される補助情報をネットワーク４などを介し，コンテンツサーバシステム２から獲得する。
【００３６】
このとき，コンテンツサーバシステム２への情報参照の結果，参照した情報がコンテンツサーバシステム２に存在しない場合には，コンテンツサーバシステム２からエラーコードが返されるので，ステップＳ９として，コンテンツサーバシステム２から必要な補助情報が獲得できたかを判定する。判定の方法としては，コンテンツサーバシステム２との通信にインターネット上で広く使用されているＨＴＴＰのプロトコルを使用する場合には，コンテンツサーバシステム２からの応答ヘッダ中に含まれるサーバの応答ヘッダのコードが４００番以上の値であるか，２００番台の値であるかにより判定できる。応答ヘッダのコードが４００番台以上の場合には，補助情報は獲得できないものとして無視し，２００番台の場合には，ステップＳ１０として，置換後の識別子を使用して，当該情報を補助データ格納装置１８に格納する。
【００３７】
ステップＳ１１として，本型情報生成部１５において，マルチメディア情報を，ネットワーク４から獲得した補助情報の中で本型にレイアウトする際に必要な情報とともに，ディスプレイ上で紙の本のように表示できる形式にレイアウトし，本型情報データベース１６に格納する。
【００３８】
レイアウトの具体的な処理は，例えばＨＴＭＬ（Hyper Text Markup Language）等の構造化記述言語で記述された情報を，本の構造に合致させるために，本の各ページに対する割り付けや，図表のはめ込みの処理などをする場合には，特開平９−２１８７７３号公報「マルチメディア情報高次元化表示システム」の方法を使用することで可能である。レイアウトされたマルチメディア情報は，図５に示すような一冊分のコンテンツサーバシステム２上のマルチメディア情報への識別子のリストとともに本型情報データベース１６に格納される。
【００３９】
本の各ページに対する割り付けなどの処理は，例えば，本型情報生成部１５において，図９に示すようなシステム構成を実施することにより達成できる。
【００４０】
本型情報生成部１５は，テキスト情報として情報の構造化記述された情報と，利用者に伝える情報の内容とが混在した情報をシステムに入力する構造テキストデータ入力部１５１と，テキストデータ中に含まれる構造を記述する情報と内容を記述する情報とを分離する構造テキスト解析部１５２と，構造の情報を順次格納していく構造情報記憶部１５３と，分離された内容の情報を内容表示領域に展開するための領域の大きさや位置を決定する内容情報解析部１５４と，内容情報解析部１５４で得られた位置情報と，構造情報記憶部１５３に格納されている構造とを対応付け，一冊の本として情報が表現される場合の構造を決定する情報構造決定部１５５と，情報構造の中で例えば爪見出し５２として明示的に表示する情報を選択する表示構造選択部１５６と，一冊の本として表現された情報を格納する情報格納部１５７と，本例の場合では書籍情報として表現するためのレイアウトの情報を格納するレイアウト情報格納部１５８から構成される。
【００４１】
テキストとして情報の構造化記述された情報は，例えばＩＳＯにおいて標準化されているＳＧＭＬや，印刷文書を作成する際の表現構造を記述するＴｅＸ，ＬａＴｅＸと呼ばれる記述形式でもよいが，本例では特にコンピュータディスプレイ上で情報を巻紙状に閲覧する際の表示の構造を規定しているＨＴＭＬを例として説明する。
【００４２】
本型情報生成のためのデータ登録処理の過程を図１０に示す。本例における処理の過程としては，ステップＳ２１として，ＢＭＤＬ言語により記述された構造情報付きのデータが構造テキストデータ入力部１５１から入力される。ＢＭＤＬ言語においては，構造の情報は，ＳＧＭＬ等と同じように＜＞で括られた記述を持っており，文字列解析を行うことで識別可能である。ＨＴＭＬ言語の例については，図１２を用いて後述する。
【００４３】
ステップＳ２２として，構造テキスト解析部１５２において，＜＞で括られた構造情報を，文字列の比較を行うことで識別し，構造情報は構造情報記憶部１５３に識別子とともに格納される。内容情報は，ＢＭＤＬ言語で記述されている内の表示を行う際の文字の大きさの情報のような表示の修飾情報や構造情報の識別子とともに内容情報解析部１５４に送られる。
【００４４】
次にステップＳ２３として，内容情報中のテキストや画像等のデータを内容表示領域中に配置するために，レイアウト情報格納部１５８に格納された画像やテキストを表示するための規則を，データの種類により取り出し，文字列や画像等のデータを表示するのに必要となる領域の大きさを計算する。領域の大きさの計算の一例としては，テキスト情報を表示する場合には，内容情報とともに与えられたフォントの情報に付けられている文字の横幅と，レイアウト情報格納部１５８に格納されている表示できる本のページの横幅の大きさをもとに，ページの横幅を文字の横幅で除することにより画面の本上で一行に表示できる文字数を決定し，送られてきたテキストの文字数を一行に表示可能な文字数で除することにより，該テキストに必要な行数を計算する。この必要な行数に文字の高さを掛けることで，画面上で必要となる領域を計算することが可能である。
【００４５】
同様に画像のデータであれば，画像データ自身に付与されている縦，横の大きさの情報と，レイアウト情報格納部１５８に格納されている表示できる本のページの横幅の大きさと縦の長さの情報とを比較することにより，画像データの縦，横のいずれかがそれぞれページの領域の大きさを越えている場合には，越えているほうの値を，ページの横もしくは縦の該当する値と同一にし，他方を同じ比率を保つように収縮する。縦，横両方の値が，ページの領域を越えている場合には，割合的に大きく越えている値を，該当するページの領域の値に合わせる。画像データの縦，横の何れの値も領域を越えていない場合には，画像データの持つ縦，横各々の値を，本上で表示する際の領域の大きさとする。画像を収縮する最も単純な方法としては，一定間隔ずつ画像データを間引きする方法があり，容易に実現できる。
【００４６】
この結果得られた本上での表示領域の大きさ付きのテキストデータや画像データと，情報構造への識別子のデータが，情報構造決定部１５５へ送られる。
【００４７】
情報構造決定部１５５においては，図２に示すような本の形状を表示する場合に，物理的な本と同じように本の厚みの影響により開くページによって情報を表示できる領域が変化する。そこで，ステップＳ２４として，一冊の本の形状としてテキストや画像データを配置するために，レイアウト情報格納部１５８から，表示を行う最初のページの内容情報の表示可能領域の値を獲得し，左上の座標点を次配置位置として記憶する。
【００４８】
ステップＳ２５として，内容情報解析部１５４から送られてくる領域付きのデータに対し，表示可能領域の左上から領域を確保し，データを配置するために，領域の大きさと次配置位置から表示領域の縦方向の下端とを比較して，該データがページ中に収まるか否かを判定する。
【００４９】
ページ中に収まる場合には，ステップＳ３１へ進む。該当ページの表示領域に収まらない場合については，ステップＳ２６として，画像データかテキストデータかを判定する。画像データは，分割するとデータが表現しようとする意味を失う場合があるので，次のページにするが（ステップＳ３５参照），テキストデータの場合には，領域を分割して複数ページに配置することが可能であるので，ステップＳ２７として，次配置位置から下端までの縦方向の長さを求める。
【００５０】
次にステップＳ２８として，該表示領域中に表示可能なテキストの行数を求めるために，ステップＳ２７の処理で求めた縦方向の長さを，ステップＳ２３の処理で求めた表示に必要な領域の縦方向の大きさで除して表示できる行数を求め，一行に表示できる文字数で乗じて，該表示領域中に表示可能なテキストの範囲を決定する。
【００５１】
ステップＳ２９として，テキストデータを，ステップＳ２８で求めた範囲で分割し，２つのテキストデータに分離する。
【００５２】
ステップＳ３０として，分割した行よりも前のデータか否かを判別し，分割を行った際の行より前のデータは，ステップＳ３１において該領域に表示されるデータとして表示されるデータとなり，後ろのデータは，次の領域に配置されるデータとなる（ステップＳ３５参照）。
【００５３】
ステップＳ２５の判定で表示領域に収まる場合には，ステップＳ３１として，該データを該当ページのデータとし，次配置位置の値を該データの下端の値，もしくはあらかじめ定められた値分だけ下端に加えた値とする。
【００５４】
例えば，図１１に示すような本の表示において，データを配置する際の次配置位置の座標が横方向に４０ドット，縦方向に１００ドットであり，データが必要とする領域の縦方向の大きさが２００ドット，ページ中の表示可能領域の値は，縦方向が６００ドットであるとすれば，該データを配置した際の次配置位置の値は，横方向に４０ドット，縦方向に３００ドットとなる。このとき例えば画像のデータ領域と，テキストの領域がきわめて近接していると，利用者にとって見にくくなるので，ページの表示領域の縦の大きさが６００ドットであれば，１％の６ドット程度の空間をあけ，次配置位置を３０６ドットにすると，データの分離が表現されるため，見やすくなる。
【００５５】
次に，ステップＳ３２として，ステップＳ３１の処理によって決定された領域のデータに付随して，構造情報記憶部１５３に格納されている構造情報により，章を示す構造情報に対して該当するページに爪見出し５２を付与するために，表示構造選択部１５６において，領域のデータに付随する識別子により構造情報記憶部１５３を検索し，該当する構造情報を獲得する。
【００５６】
ステップＳ３３として，表示構造選択部１５６では，構造情報と爪見出し５２などの表現要素の関係を参照し，該当するページに対して爪見出し５２などの表現要素の情報を付加する。ステップＳ３４として，ページを単位に表現要素の情報と各ページに配置された内容の情報とページ番号とを対にして，情報格納部１５７に格納する。
【００５７】
ステップＳ２５，Ｓ２６の判定で，該当ページに入りきらないと判定された画像や，ステップＳ２９，Ｓ３０の処理で分割された後半のテキストデータは，ステップＳ３５として，ページを１ページ送るために，情報格納部１５７中のページカウンタを１増加させる。表示されるデータは，次ページの先頭から情報を表示するために，ステップＳ２４の処理に戻される。
【００５８】
この結果，ＨＴＭＬで記述された本上に表現すべき情報は，各ページ単位の情報に自動的に分割される。例えば図２に示すように，ディスプレイ上に本の形状を表示する際に，本の厚みが与えられているならば，情報格納部１５７中のページカウンタの値を本の厚みに対応させ，閲覧する際の各ページのページカウンタに対する割合により，本の厚みの絵を変化させることで，平面的なディスプレイ上において，情報を表示する際の表現の次元を一次元高くすることが可能である。
【００５９】
ＨＴＭＬによって記述された情報は，図１２（Ａ）のように表わされ，本形式の上では，図１２（Ｂ）に示すように表示される。本例においては，章タイトル，本文，図の表示要素が使用されている。各情報の表現要素に対して，＜Ｈ２＞は，ゴシック体で情報が記述され，以下，テキストや静止画がページ上に配置される。
【００６０】
レイアウト情報格納部１５８内のレイアウト情報の例としては，図１３に示すように，少なくとも表示する情報の構造の型が例えば見開き型の本であるか，片開き型の本であるかといった表現構造タイプを示すデータと，表示を行う際のレイアウトの種類を示すレイアウトタイプと，各レイアウトタイプに対して必要となる領域の大きさ（領域サイズ縦，領域サイズ横）を示すデータから構成される。
【００６１】
利用者に対して，本形式によりコンピュータ上で閲覧可能にする方法については，例えば特開平６−２７４３９６号「書籍情報の検索・表示方法」，もしくは特開平７−７８１６８号「情報検索処理装置及び方法」の中の書籍情報の表示方法を用いて実現可能である。
【００６２】
以上の処理により，電子蔵書システム１に対して，インターネット上などに存在するマルチメディア情報を蓄積する処理の過程は達成できる。
【００６３】
（２）情報提示処理
次に，電子蔵書システム１に蓄積した本型のマルチメディア情報を表示する処理について説明する。本例における電子蔵書システム１の利用者からの閲覧処理の過程を，図１４に示す。
【００６４】
ステップＳ４１として，マルチメディア情報を閲覧したい利用者から，本型情報要求部３１に，電子蔵書システム１上のマルチメディア情報を検索するためのキーワードや識別子などの検索条件が入力される。入力される識別子は，例えばインターネット上で使用されるＵＲＬによって実現される。
【００６５】
ステップＳ４２として，利用者から入力されたＵＲＬ等の電子蔵書システム１中の識別子が本型コンテンツ送出部１９に送られると，本型コンテンツ送出部１９では，本型情報データベース１６から，識別子によって示される本型マルチメディア情報とコンテンツサーバシステム２上での情報への識別子のリストとを獲得する。獲得された本型マルチメディア情報は，表示情報制御部３２に転送される。
【００６６】
また，識別子のリストをもとに，本型コンテンツ送出部１９からコンテンツサーバシステム２上に対し，識別子を用いて順次アクセスし，コンテンツサーバシステム２に対して情報が使用されていることを記録する。この処理は，例えばインターネット上で広く用いられているＨＴＴＰ(Hyper Text Transfer Protocol ）を使用して達成できる。ＨＴＴＰを使用した実現例としては，コンテンツサーバシステム２に対し，当該識別子のＵＲＬで参照される情報の格納された時間などのヘッダ情報のみを獲得するＨＥＡＤ命令を転送することで，コンテンツサーバシステム２に当該識別子で参照される情報が参照されたことを記録することができる。
【００６７】
ステップＳ４３として，表示情報制御部３２では，獲得した本型の情報中に含まれる静止画などの補助情報への参照情報の識別子を抽出し，順次電子蔵書システム１の補助情報チェック部２０に転送する。
【００６８】
ステップＳ４４として，補助情報チェック部２０では，送られてきた参照情報の識別子を用いて，補助データ格納装置１８中の当該補助情報を獲得する。
【００６９】
ステップＳ４５として，この補助情報に付与されているインターネット上などのネットワーク４上に存在するコンテンツサーバシステム２上の補助情報への識別子を用いて，コンテンツサーバシステム２にアクセスし，その補助情報が参照されたことをコンテンツサーバシステム２に記録する。この処理も，例えばインターネット上で広く用いられているＨＴＴＰを使用して達成できる。ＨＴＴＰを使用した場合には，コンテンツサーバシステム２に対し，当該補助情報の格納された時間等のヘッダ情報のみを獲得するＨＥＡＤ命令と補助情報へのＵＲＬを転送することで，コンテンツサーバシステム２に当該補助情報が参照されたことを記録することができる。
【００７０】
ステップＳ４６として，補助データ格納装置１８から，補助データ格納装置１８内の補助情報への識別子を使用して，当該補助情報を獲得し，表示情報制御部３２に転送する。以降，ステップＳ４４からＳ４６の処理を補助情報が存在する限り繰り返す。
【００７１】
ステップＳ４７として，表示情報制御部３２では，補助情報と本型のマルチメディア情報とを合成し，本情報表示部３３へ送り，ステップＳ４８として，本情報表示部３３では，補助情報などが合成されたマルチメディア情報を，図２に示すような電子的な本の形式でディスプレイ上に表現して利用者に提示する。
【００７２】
利用者に対して，単に電子蔵書システム１中の情報を閲覧させるだけであれば，閲覧に必要な全ての情報を電子蔵書システム１が保持しているために，コンテンツサーバシステム２の情報にはアクセスする必要がない。しかし，この場合，コンテンツサーバシステム２上で情報を発信している情報発信者にとっては，発信している情報が閲覧されているのか閲覧されていないのかが不明となる。
【００７３】
このような問題を解決するために，本例では，図１４の処理過程で説明したように，利用者の閲覧対象となるマルチメディア情報およびそれの参照する補助情報のオリジナルの識別子を記憶しておき，これによって利用者の閲覧時にマルチメディア情報および補助情報に対してアクセスがあったことを，コンテンツサーバシステム２に伝達する機能を達成できる。
【００７４】
図１５は，補助情報獲得部のシステム構成を示す。本例では，補助情報獲得部１７は，ＨＴＭＬ等の構造記述言語で記述されたマルチメディア情報を入力する情報入力部１７１と，マルチメディア情報中からＩＭＧ等のタグで記述される補助情報の識別子を分離する補助情報抽出部１７２と，抽出された参照情報への識別子の記述からＯＲＩＧＩＮＡＬタグで識別されるコンテンツサーバシステム２上の補助情報への識別子を用いて，コンテンツサーバシステム２と通信を行う補助情報要求部１７３と，コンテンツサーバシステム２からの応答を受け，データの存在の有無を判定するデータ受信部１７４と，補助情報が存在する場合に，補助データ格納装置１８に当該補助情報およびコンテンツサーバシステム２上の補助情報への識別子を格納するデータ格納部１７５から構成される。
【００７５】
コンテンツサーバシステム２からの補助情報の獲得の処理の過程を，図１６に示す。
【００７６】
ステップＳ５１として，補助情報置換部１４から，参照情報置換後のマルチメディア情報が情報入力部１７１に引き渡されて処理が開始される。
【００７７】
ステップＳ５２として，補助情報抽出部１７２において，渡されたマルチメディア情報から，ＩＭＧタグ，Ａタグ等で記述された補助情報の記述を切り出す。タグによる補助情報の切り出し方法は，ＨＴＭＬにおいては，“＜ＩＭＧ”のようにタグは“＜”から始まるという規則を利用して文字列の比較を行うことで実現できる。
【００７８】
ステップＳ５３として，切り出された補助情報の記述からＯＲＩＧＩＮＡＬのタグで示されるコンテンツサーバシステム２上の補助情報へのＵＲＬを獲得する。
【００７９】
次に，ステップＳ５４として，補助情報要求部１７３において，コンテンツサーバシステム２上のＵＲＬを用いて，ＵＲＬ中のサイト名の情報に従って，該当するコンテンツサーバシステム２に，そのＵＲＬで示される補助情報を転送するように要求する。この処理は，インターネットで通常使用されるＨＴＴＰにて容易に実現できる。コンテンツサーバシステム２は，ＨＴＴＰプロトコルで，送られてきたＵＲＬが示す情報が存在する場合にはＵＲＬが示す情報を，要求を発信したシステムに転送し，ＵＲＬで示される情報が存在しない場合には，エラー情報を返す。
【００８０】
ステップＳ５５として，補助情報に付与されているコンテンツサーバシステム２上の補助情報への識別子を使用して，オリジナルの補助情報へ問い合わせを行う。
【００８１】
ステップＳ５６として，データ受信部１７４で，コンテンツサーバシステム２から転送されたデータを受け取る。ステップＳ５７として，そのデータに画像などの実体の情報が含まれるか否かにより，ＵＲＬで参照したデータが存在し，後に電子蔵書システム１の利用者が情報を閲覧する際に，コンテンツサーバシステム２に対して情報を閲覧したことを伝達する必要があるか否かを判定する。このため，データ受信部１７４において，コンテンツサーバシステム２から獲得したデータに実体が含まれるか否かを調べる。ＨＴＴＰを使用している場合には，データにＭＩＭＥ−ＴＹＰＥと呼ばれる，データの種類を示す記号が付与されてくるので，これが画像などの補助情報のデータ型であるか否かを調べればよい。
【００８２】
データの実体が獲得できた場合には，ステップＳ５８として，獲得した補助情報と，補助データ格納装置１８内の識別子と，コンテンツサーバシステム２へのＵＲＬとを補助データ格納装置１８に格納する。これにより，後に電子蔵書システム１の利用者が情報を閲覧する際に，参照された補助情報について，コンテンツサーバシステム２に対し，当該情報が参照されたことを伝達するためのデータが補助データ格納装置１８に格納されることになる。
【００８３】
補助データ格納装置１８内の補助情報の構造は，少なくとも，補助情報置換部１４で生成された内部的な識別子と，コンテンツサーバシステム２中のデータ実体への識別子と，補助情報の実体とから構成され，例えば図１７のような構造を持つ。
【００８４】
【発明の効果】
以上説明したように，本発明においては，インターネット上などに存在するマルチメディア情報を，電子蔵書システム自らが蓄積し，インターネット上のマルチメディア情報の発信者に代わって利用者に必要な情報を提供することにより，情報の発信者が提供を止めた後も利用者に情報提供を行うことが可能となり，マルチメディア情報の利用者に対して，永続的にマルチメディア情報を提供することができる。
【００８５】
特に，本発明によって，マルチメディア情報の利用者は，インターネット上などのマルチメディア情報を収集して提供する電子蔵書システムのサーバにアクセスすれば，情報の発信者が情報発信を止めたり，情報の内容が変更された後でも，必要な情報を確実に入手することが可能となり，また，利用者が電子蔵書システムを介して情報を閲覧した場合でも，情報の発信者に対して情報が利用されたことを知らせることが可能となる。
【図面の簡単な説明】
【図１】本発明の実施の形態におけるシステム構成の例を示す図である。
【図２】本型のマルチメディア情報の表示の例を示す図である。
【図３】インターネット上などのマルチメディア情報を電子蔵書システムに登録する処理の過程を示す図である。
【図４】蔵書情報要求部に入力されるデータの構成の例を示す図である。
【図５】コンテンツリスト生成部で作成される本毎の識別子のリストの例を示す図である。
【図６】コンテンツサーバシステム中のマルチメディア情報を示す識別子の例を示す図である。
【図７】補助データ格納装置内の補助情報を示す識別子の例を示す図である。
【図８】インターネット上などから獲得したマルチメディア情報の例と，補助情報置換部で置き換えられた補助情報への識別子を含むマルチメディア情報の例を示す図である。
【図９】本型情報生成部のシステム構成を示す図である。
【図１０】本型情報生成のためのデータ登録処理の過程を示す図である。
【図１１】爪見出しを例とした情報を高次元的に表示する際の座標位置の決定の仕方を示す図である。
【図１２】ＨＴＭＬ言語で記述された伝達すべき内容の情報が本形式の情報へ変換される際の関係を示す図である。
【図１３】レイアウト情報格納部のデータ構造の例を示す図である。
【図１４】蓄積した本型のマルチメディア情報の利用者からの閲覧処理の過程を示す図である。
【図１５】補助情報獲得部のシステム構成を示す図である。
【図１６】補助情報獲得部の処理の過程を示す図である。
【図１７】補助データ格納装置内の補助情報のデータ構造の例を示す図である。
【符号の説明】
１    電子蔵書システム
１１  蔵書情報要求部
１２  コンテンツリスト生成部
１３  外部データベースアクセス部
１４  補助情報置換部
１５  本型情報生成部
１６  本型情報データベース
１７  補助情報獲得部
１８  補助データ格納装置
１９  本型コンテンツ送出部
２０  補助情報チェック部
２    コンテンツサーバシステム
２１  コンテンツ送出部
２２  内容情報データベース
３    利用者システム
３１  本型情報要求部
３２  表示情報制御部
３３  本情報表示部
４    ネットワーク
【図１】
0003660533.tif 000002
【図２】
0003660533.tif 000003
【図３】
0003660533.tif 000004
【図４】
0003660533.tif 000005
【図５】
0003660533.tif 000006
【図６】
0003660533.tif 000007
【図７】
0003660533.tif 000008
【図８】
0003660533.tif 000009
【図９】
0003660533.tif 000010
【図１０】
0003660533.tif 000011
【図１１】
0003660533.tif 000012
【図１２】
0003660533.tif 000013
【図１３】
0003660533.tif 000014
【図１４】
0003660533.tif 000015
【図１５】
0003660533.tif 000016
【図１６】
0003660533.tif 000017
【図１７】
0003660533.tif 000018